(57)【要約】【課題】該当する携帯通信端末と確実にリンク確立して無線通信を開始し、しかも、汎用性を高める。【解決手段】ＰＯＳ端末装置は、ＩＤコードに従って表示部の画面の輝度を変化させる携帯電話における表示画面の輝度変化を受光部３５で検出して２値化しＣＰＵ３１に転送する。ＣＰＵ３１はこの２値化した検出信号からＩＤコードを取得し、この取得したＩＤコードをＢＴ送受信部３８に伝送する。ＢＴ送受信部３８はこのＩＤコードを用いてＢｌｕｅｔｏｏｔｈの規格に定められているリンク確立フェーズに移行し、該当する携帯電話とのリンクを確立する。その後、携帯電話との無線通信を開始する。【選択図】  図３
2004185492.tif 000002
【特許請求の範囲】
【請求項１】
ＩＤコードに従って表示画面の輝度を変化させる携帯通信端末における表示画面の輝度変化を検出する検出手段と、この検出手段の検出信号からＩＤコードを取得する取得手段と、この取得手段が取得したＩＤコードに従って該当する携帯通信端末にリンク確立要求を送信してその携帯通信端末と無線通信を開始する通信開始手段を具備したことを特徴とするＰＯＳ端末装置。
【請求項２】
ＩＤコードに従って可視光発光ダイオードを点滅させる携帯通信端末における発光ダイオードの点滅を検出する検出手段と、この検出手段の検出信号からＩＤコードを取得する取得手段と、前記取得手段が取得したＩＤコードに従って該当する携帯通信端末にリンク確立要求を送信してその携帯通信端末と無線通信を開始する通信開始手段を具備したことを特徴とするＰＯＳ端末装置。
【請求項３】
ＩＤコードに従ってスピーカを駆動し音響信号を発生させる携帯通信端末における音響信号を検出する検出手段と、この検出手段の検出信号からＩＤコードを取得する取得手段と、前記取得手段が取得したＩＤコードに従って該当する携帯通信端末にリンク確立要求を送信してその携帯通信端末と無線通信を開始する通信開始手段を具備したことを特徴とするＰＯＳ端末装置。
【請求項４】
ＩＤコードに従って表示器の表示画面の輝度を変化させる輝度変化手段と、前記表示器の表示画面の輝度変化を検出してＩＤコードを取得する携帯通信端末から、リンク確立の要求があるとその携帯通信端末と無線通信を開始する通信開始手段を具備したことを特徴とするＰＯＳ端末装置。
【請求項５】
ＩＤコードに従って既存の可視光発光ダイオードを点滅させる点滅手段と、前記発光ダイオードの点滅を検出してＩＤコードを取得する携帯通信端末から、リンク確立の要求があるとその携帯通信端末と無線通信を開始する通信開始手段を具備したことを特徴とするＰＯＳ端末装置。
【請求項６】
ＩＤコードに従って既存のスピーカを駆動し音響信号を発生させる音響信号発生手段と、前記スピーカからの音響信号を検出してＩＤコードを取得する携帯通信端末から、リンク確立の要求があるとその携帯通信端末と無線通信を開始する通信開始手段を具備したことを特徴とするＰＯＳ端末装置。
【発明の詳細な説明】
【０００１】
【発明の属する技術分野】
本発明は、携帯電話等の携帯通信端末と無線通信を行うＰＯＳ（Ｐｏｉｎｔ  ｏｆ  Ｓａｌｅｓ）端末装置に関する。
【０００２】
【従来の技術】
２．４ＧＨｚ帯を使用した無線ＬＡＮ装置の通信可能な伝送距離は１００ｍ以上である。これに対し、近年、伝送距離が１０ｍ程度の無線通信方式が普及し始めている。例えば、Ｂｌｕｅｔｏｏｔｈと呼ばれる通信方式は無線通信方式の１つであるが、このＢｌｕｅｔｏｏｔｈ通信機能を携帯電話等の携帯通信端末に搭載したものが知られている。Ｂｌｕｅｔｏｏｔｈ通信は、通信範囲は狭いが、消費する電力が少ないためバッテリーで駆動する携帯通信端末に適している。
【０００３】
Ｂｌｕｅｔｏｏｔｈ通信は、商用に公開されたＩＳＭ（Ｉｎｄｕｓｔｒｉａｌ，  Ｓｃｉｅｎｔｉｆｉｃ  ａｎｄ  Ｍｅｄｉｃａｌ）バンドを使用しており、他の装置による妨害を受け易い。そのため周波数ホッピング技術を採用して妨害を受け難くしている。
Ｂｌｕｅｔｏｏｔｈ通信機能を搭載したＰＯＳ端末装置が同じくＢｌｕｅｔｏｏｔｈ通信機能が搭載された携帯通信端末と通信を行う場合、先ず、ＰＯＳ端末装置がその通信エリア内に存在する携帯通信端末を探索するフェーズにおいて決められた周波数帯を順番にスキャンし、接続可能状態で待機している携帯通信端末を見つけ出す。携帯通信端末からは自身の端末識別情報が送信される。携帯通信端末も使用する周波数を周期的に変更しているため、ＰＯＳ端末装置が携帯通信端末を見つけ出すには数秒の時間がかかる。
【０００４】
ＰＯＳ端末装置は、見つけ出した幾つかの携帯通信端末から４８ビットの端末識別情報を受信し、その内の２４ビットを用いて、接続フェーズで所望の携帯通信端末との間に周波数のホッピングパターンの設定を行う。これにより、物理的なリンクが確立し、以後アプリケーションレベルでの情報交換ができるように各スタックでのプロトコルが実行される。そして、アプリケーションレベルでのコネクションが確立できると、そのコネクションを通じてＰＯＳ端末装置は接続した携帯通信端末と無線通信を行うことで携帯通信端末の所有者に対してサービスポイントの付与など所定のサービスを提供する。
【０００５】
例えば、電子クーポンを携帯通信端末に保存しているユーザが、コンビニエンスストアに設置されているＰＯＳ端末装置の前で精算を行う場合に、Ｂｌｕｅｔｏｏｔｈ通信機能を使用して電子クーポン情報をＰＯＳ端末装置に送信し、電子クーポンを精算に使用することを想定する。ＰＯＳ端末装置と携帯通信端末が１対１の場合は支払いを行うユーザが所持している携帯通信端末とＰＯＳ端末装置との関係が一意に決定され、ＰＯＳ端末装置のＢｌｕｅｔｏｏｔｈ通信機能によって探索する携帯通信端末は常に支払いを行うユーザが所持している携帯通信端末となり問題はない。
【０００６】
しかし、ＰＯＳ端末装置の前に、支払いを行うユーザの他に、同じくＢｌｕｅｔｏｏｔｈ通信機能が搭載された携帯通信端末を所持している別のユーザがいると、ＰＯＳ端末装置のＢｌｕｅｔｏｏｔｈ通信機能によって探索した携帯通信端末が複数になる。このため、ＰＯＳ端末装置にとってどれが支払いを行うユーザが所持している携帯通信端末なのか判定することができなくなる。また、複数台のＰＯＳ端末装置が並べて配置されているようなストアでは隣のＰＯＳ端末装置の前にも支払いを待つユーザが並ぶことになり、さらに多くの携帯通信端末を探索することになり、特定の携帯通信端末を見つけ出すことがさらに困難になる。
【０００７】
このため、携帯端末装置の表示画面に識別情報のバーコードを表示させ、これをＰＯＳ端末装置のバーコードリーダで読み取ることで該当する携帯端末装置の識別情報を取得すること、携帯端末装置の表示画面に識別情報を直接表示させ、これをＰＯＳ端末装置の撮像素子で読み取ることで該当する携帯端末装置の識別情報を取得すること、携帯端末装置に識別情報を送信する無線タグを取付け、ＰＯＳ端末装置のタグリーダで識別情報を受信して該当する携帯端末装置の識別情報を取得すること、携帯端末装置とＰＯＳ端末装置との間でＩｒＤＡ（ＩｎｆｒａｒｅｄＤａｔａ  Ａｓｓｏｃｉａｔｉｏｎ）による通信を行って携帯端末装置の識別情報を取得することなどを行って、該当する携帯端末装置を特定し、その後Ｂｌｕｅｔｏｏｔｈ通信機能による通信を行うものが知られている（例えば、特許文献１参照）。
【０００８】
【特許文献１】
特開２００２−６３６５２号公報（段落「００４７」等）
【０００９】
【発明が解決しようとする課題】
しかしながら、携帯端末装置の表示画面に表示されたバーコードをバーコードリーダで読み取る場合や、表示された識別情報を撮像素子で読み取る場合は、表示画面の表面を被っている保護材の反射やバーコード、識別情報の表示の状態によって読み取れなくなる場合もあり、携帯端末装置の種類によって識別情報を取得できなくなる場合があった。また、無線タグやＩｒＤＡによる通信を行うものは、無線タグやＩｒＤＡが搭載された携帯端末装置の種類が限定されるので、汎用性が悪くなるという問題があった。
そこで、本発明は、該当する携帯通信端末との間で確実にリンク確立して無線通信を開始でき、しかも、汎用性に優れたＰＯＳ端末装置を提供する。
【００１０】
【課題を解決するための手段】
本発明は、ＩＤコードに従って表示画面の輝度を変化させる携帯通信端末における表示画面の輝度変化を検出する検出手段と、この検出手段の検出信号からＩＤコードを取得する取得手段と、この取得手段が取得したＩＤコードに従って該当する携帯通信端末にリンク確立要求を送信してその携帯通信端末と無線通信を開始する通信開始手段を備えたものである。
【００１１】
【発明の実施の形態】
以下、本発明の実施の形態を、図面を参照して説明する。
（第１の実施の形態）
図１はＰＯＳ端末装置の外観を示す斜視図で、装置本体１の前面には、キーボード２、オペレータ用表示部３、レシート発行口４及びドロワ５が設けられ、背面には客用表示部６が設けられている。また、前記装置本体１には、ケーブル７を介して登録時に商品からバーコードを読み取るバーコードスキャナ７が接続されている。前記バーコードスキャナ７にはバーコードを正しく読み込んだときにそれを知らせるための発光ダイオード９が設けられている。前記装置本体１の背面には、後述するフォトセンサやＣＣＤセンサなどからなる輝度変化検出手段としての受光部が取り付けられている。前記各表示部３，６は、半透過型の液晶ディスプレイで、バックライトが内蔵されている。
【００１２】
図２は携帯通信端末としての携帯電話１０の外観を示す図で、（ａ）は前面を、（ｂ）は背面を示している。
携帯電話の前面には、半透過型の液晶ディスプレイで、バックライトが内蔵された表示部１１、各種キーボタンを配置したキー入力部１２、送話器としてのスピーカ１３、受話器としてのマイク１４、例えば、着信時に点滅して知らせる等の動作状態表示用の可視光の発光ダイオード（ＬＥＤ）１５が配置され、背面にはＣＣＤカメラやＣＭＯＳセンサなどの通常カメラとして使用される撮像装置１６が配置されている。また、上部にはアンテナ１７が設けられている。
【００１３】
図３は、例えば、スーパーマーケットなどにおいて構築されるＰＯＳシステムの構成を示すブロック図で、ＬＡＮ２１を経由して店舗内全体を管理するサーバ２２と複数のＰＯＳ端末装置２３が接続されている。
【００１４】
前記各ＰＯＳ端末装置２３は図１に示す外観構成からなり、制御部本体を構成するＣＰＵ３１、装置を動作させる基本的なプログラムを格納したＲＯＭ３２、データ処理に使用するメモリ等を設けたＲＡＭ３３、前記サーバ２２とＬＡＮ２１を経由して送受信を行うＮＩＣ（Ｎｅｔｗｏｒｋ  Ｉｎｔｅｒｆａｃｅ  Ｃａｒｄ）３４、前記装置本体１の背面に設けられ、フォトセンサやＣＣＤセンサ等からなる輝度変化手段としての受光部３５、携帯電話１０を介した顧客へのサービス提供を行うアプリケーションプログラム等の各種アプリケーションプログラムや各種管理データを格納したハードディスク装置からなる記憶装置３６、前記各表示部３，６、前記キーボード２を制御するキーボードコントローラ３７、前記バーコードスキャナ８及びＢＴ（Ｂｌｕｅｔｏｏｔｈ）送受信部３８を接続したシリアルポート３９を設けている。
【００１５】
そして、前記ＣＰＵ３１、ＲＯＭ３２、ＲＡＭ３３、ＮＩＣ３４、受光部３５、記憶装置３６、各表示部３，６、キーボードコントローラ３７及びシリアルポート３９を互いにバスライン４０によって電気的に接続している。
【００１６】
前記ＢＴ送受信部３８は、２．４ＧＨｚ帯で無線通信のためのアンテナ、ベースバンド部、Ｌ２ＣＡＰ（Ｌｏｇｉｃａｌ  Ｌｉｎｋ  Ｃｏｎｔｒｏｌ  ａｎｄ  Ａｄａｐｔａｔｉｏｎ  Ｐｒｏｔｏｃｏｌ）など、例えば、Ｂｌｕｅｔｏｏｔｈ仕様書第１版（Ｂｌｕｅｔｏｏｔｈ  Ｖｅｒｓｉｏｎ  １．０）に記載されているプロトコル制御部などから構成されている。Ｂｌｕｅｔｏｏｔｈのプロトコルは携帯電話１０を介した顧客へのサービス提供を行うアプリケーションプログラムと共にＣＰＵ３１によりＲＡＭ３３に読み込まれ実行される。その他、ＯＳ、ドライバ、アプリケーションは前記記憶装置３６に格納されている。
【００１７】
前記携帯電話１０は、図４に示すように、制御部本体を構成するＣＰＵ４１、装置を動作させる基本的なプログラムデータを記憶したＲＯＭ４２、ＰＯＳ端末装置２３とポイントの授受を行うためのアプリケーションプログラムソフトウエアを格納した不揮発性メモリ４６、データ処理等に使用するメモリ等を設けたＲＡＭ４３、前記発光ダイオード１５、表示部１１、キー入力部１２、撮像装置１６、ＢＴ（Ｂｌｕｅｔｏｏｔｈ）送受信部４４、前記スピーカ１３に出力する信号を変調し、マイク１４からの信号を復調する変復調部４５を備え、それぞれバスライン４７によって互いに電気的に接続されている。前記変復調部４５には、また、前記アンテナ１７を接続した高周波部４８が接続されている。前記携帯電話１０はバッテリーでバックアップされた不揮発性メモリ４６に店舗内において例えば１ポイント１円のように金額として使用できるポイント情報を記憶している。
【００１８】
前記ＢＴ送受信部４４は、前記ＰＯＳ端末装置２３との間に無線通信のリンクを確立し、ＲＡＭ３３に格納されているポイント情報をやり取りするためのものである。前記ＢＴ送受信部４４は、ここでは内部のバスライン４７に直接接続したがこれに限定するものではなく、ＰＯＳ端末装置２３のようにシリアルポートを介して接続しても、あるいは、ＵＳＢ（Ｕｎｉｖｅｒｓａｌ  Ｓｅｒｉａｌ  Ｂｕｓ）による接続を行ってもよい。
【００１９】
前記ＢＴ送受信部４４は、２．４ＧＨｚ帯で無線通信のためのアンテナ、ベースバンド部、Ｌ２ＣＡＰ（Ｌｏｇｉｃａｌ  Ｌｉｎｋ  Ｃｏｎｔｒｏｌ  ａｎｄ  Ａｄａｐｔａｔｉｏｎ  Ｐｒｏｔｏｃｏｌ）など、例えば、Ｂｌｕｅｔｏｏｔｈ仕様書第１版（Ｂｌｕｅｔｏｏｔｈ  Ｖｅｒｓｉｏｎ  １．０）に記載されているプロトコル制御部などから構成されている。Ｂｌｕｅｔｏｏｔｈ対応の端末には、全てグローバルユニークな識別情報が付されている。この識別情報はＩＤとしてＢＴ送受信部４４に格納されており、ＣＰＵ４１により随時読み出し可能になっている。
【００２０】
顧客が店舗にて商品を購入する場合の登録処理について述べると、オペレータ（店員）はバーコードスキャナ８を用いて顧客が購入する商品のバーコードラベルを読み取る。バーコードスキャナ８は読み取ったバーコードをデコードしバーコード情報としてシリアルポート３９に伝送する。シリアルポート３９に伝送されたバーコード情報はＣＰＵ３１によって処理される。例えば、バーコードがＪＡＮコードであれば１３桁の数字に変換してシリアルポート３９に伝送する。
【００２１】
シリアルポート３９に伝送されたバーコード情報はバスライン４０を通ってＲＡＭ３３に転送され、ＣＰＵ３１により処理される。そして、処理された後、バーコード情報は、ＴＰＣ／ＩＰ（Ｔｒａｎｓｍｉｓｓｉｏｎ  Ｃｏｎｔｒｏｌ  Ｐｒｏｔｏｃｏｌ  ／  Ｉｎｔｅｒｎｅｔ  Ｐｒｏｔｏｃｏｌ）におけるＴＣＰのパケットに乗せられＮＩＣ３４に伝送される。前記ＣＰＵ３１による処理は、予め記憶装置３６とＲＯＭ３２に記憶されたプログラムに従い実行される。
【００２２】
ＮＩＣ３４は、ＣＣＳＭＡ／ＣＤ（Ｃａｒｒｉｅｒ  Ｓｅｎｓｅ  Ｍｕｌｔｉｐｌｅ  Ａｃｃｅｓｓ  ｗｉｔｈ  Ｃｏｌｌｉｓｉｏｎ  Ｄｅｔｅｃｔｉｏｎ）によるアクセス制御を行い、ＬＡＮ２１を経由してサーバ２２へパケットを伝送する。サーバ２２は、パケットを受信すると、内部に記憶された商品情報（商品名や価格等）とバーコード情報を照合し、照合した商品情報をＴＣＰパケットに変換し、ＬＡＮ２１を経由して該当するＰＯＳ端末装置２３に伝送する。
【００２３】
ＰＯＳ端末装置２３ではＮＩＣ３４がサーバ２２からのＴＣＰパケットを受信しＣＰＵ３１に転送する。ＣＰＵ３１は、受信したＴＣＰパケットからヘッダー部を取り除き、商品情報を抽出し、ＲＡＭ３３に格納するとともに各表示部３，６に商品名と価格を表示する。
【００２４】
以上が、１回の商品登録に伴う一連の処理であるが、これを顧客が購入した商品全てについて行うことになる。そして、最終的に表示部３，６に合計金額を表示して顧客からの支払いを受けて精算処理を行う。
【００２５】
次に、ＰＯＳ端末装置２３と携帯電話１０との間で行われるポイントサービスについて述べる。なお、ポイントサービスとは、顧客が購入した金額に応じたポイントの提供、例えば、１０００円買上毎に１ポイントの提供を受け、顧客はポイントを累計し、累計ポイントが一定ポイント以上になると景品との交換や値引きなどのサービスが受けられる、というサービスである。
【００２６】
そして、ＰＯＳ端末装置２３と顧客とのポイント情報の授受はＰＯＳ端末装置２３と顧客が所持している携帯電話１０との間で行うようになっている。すなわち、携帯電話１０は図５に示す流れ図に基づいた処理を行い、ＰＯＳ端末装置２３は図６に示す流れ図に基づいた処理を行う。
【００２７】
ＰＯＳ端末装置２３における精算処理が終了すると、顧客は、Ｓ１にて、携帯電話１０のモードを切替え、表示部１１の表示画面をＰＯＳ端末装置２３の受光部３５の受光面に近づける。なお、モードの切替えとしては、キー入力部１２の操作によるもの、専用のスイッチを使用するものなど各種の方法が考えられる。モード切替えが行われると、携帯電話１０は、次にＳ２にて、ＰＯＳ端末装置２３とポイントの授受を行うためのアプリケーション・ソフトウエアを起動する。
【００２８】
一方、オペレータは、Ｓ１１にて、ＰＯＳ端末装置２３のモードを切替える。なお、モードの切替えとしては、キーボード２の操作によるもの、専用のスイッチを使用するものなど各種の方法が考えられる。モード切替えが行われると、ＰＯＳ端末装置２３のＣＰＵ３１は、Ｓ１２にて、携帯電話１０とポイントの授受を行うためのアプリケーション・ソフトウエアを起動する。
【００２９】
携帯電話１０では、Ｓ３にて、ＣＰＵ４１がＢＴ送受信部４４に確保されている４８ビットのＩＤを読み出してＲＡＭ４３に格納する。続いて、Ｓ４にて、ＣＰＵ４１はＲＡＭ４３からＩＤを読み出し、このＩＤに基づいて表示部１１のバックライトをＯＮ／ＯＦＦ制御する。すなわち、「０」、「１」の２進数に変換されたＩＤに従って表示部１１のバックライトをＯＮ／ＯＦＦ制御する。なお、この場合のＯＮ／ＯＦＦの切替えのスピードはバックライトの応答性に依存するができるだけ高速であることが望ましい。
【００３０】
携帯電話１０の表示部１１のバックライトが点滅すると、ＰＯＳ端末装置２３は、Ｓ１３にて、受光部３５によりその点滅を受光する。そして、受光部３５は受光した信号を２値化し、バスライン４０を介してＣＰＵ３１に伝送する。
【００３１】
ＰＯＳ端末装置２３のＣＰＵ３１は、受光部３５からの２値化信号を解析してＩＤを取得する。（取得手段）
そして、ＣＰＵ３１は、携帯電話１０からのＩＤの受信に成功すると、続いてＳ１４にて、取得したＩＤをＢＴ送受信部３８に伝送し、この取得したＩＤを用いてＢｌｕｅｔｏｏｔｈの規格に定められているページングと呼ばれるリンク確立フェーズに移行し、ＢＴ送受信部３８から当該携帯電話１０のＩＤを含むページメッセージがブロードキャスト送信される。
【００３２】
一方、携帯電話１０のＣＰＵ４１はリンク確立フェーズに移行するＰＯＳ端末装置２３からの信号を受信して、Ｓ５にて、ＢＴ送受信部４４をＢｌｕｅｔｏｏｔｈに規定されているページメッセージの受付けモードに設定する。
これにより、該当するＩＤを持つ当該携帯電話１０のみがＰＯＳ端末装置２３から送信されるページメッセージを受信することになる。
【００３３】
携帯電話１０はＰＯＳ端末装置２３からページメッセージを受信することにより、ＰＯＳ端末装置２３のマスタに対するスレーブの関系になる。携帯電話１０のＢＴ送受信部４４は、ＰＯＳ端末装置２３のＢＴ送受信部３８が決めたホッピングパターンで動作することになる。その後、Ｓ６にて、ＰＯＳ端末装置２３のＢＴ送受信部３８が送出するリンク確立要求を待ち受け、リンク確立要求を受信しＢＴ送受信部３８との間のリンクを確立する。また、ＰＯＳ端末装置２３のＢＴ送受信部３８は、Ｓ１５にて、携帯電話１０にリンク確立要求を送信し、ＢＴ送受信部４４との間のリンクを確立する。
【００３４】
その後、Ｂｌｕｅｔｏｏｔｈの規格で定められた手順に従い、携帯電話１０のＢＴ送受信部４４は、Ｓ７にて、チャネルの確立、コネクションの確立を行い、ＰＯＳ端末装置２３のＢＴ送受信部３８は、Ｓ１６にて、チャネルの確立、コネクションの確立を行う。こうして設定したコネクションを通じてＰＯＳ端末装置２３と携帯電話１０とはデータの送受信ができるようになる。
【００３５】
この状態において、携帯電話１０のＣＰＵ４１は、Ｓ８にて、ＢＴ送受信部４４を使用してＰＯＳ端末装置２３とメッセージの送受信を行い、また、ＰＯＳ端末装置２３のＣＰＵ３１は、Ｓ１７にて、ＢＴ送受信部３８を使用して携帯電話１０とメッセージの送受信を行う。例えば、携帯電話１０のＣＰＵ４１はＲＡＭ４３に格納されているポイント情報を含む個人情報を読み出しＰＯＳ端末装置２３へ無線送信する。ＰＯＳ端末装置２３においては、受信したポイント情報と今回発生したポイント情報を加算し、その結果をもとに所望のサービスを行う。そして、ポイントが余れば、余ったポイント情報を携帯電話１０に送信する。携帯電話１０では受信したポイント情報をＲＡＭ４３に格納する。また、所望のサービスを受けないときには受信したポイント情報と今回発生したポイント情報を加算した新たなポイント情報を携帯電話１０に無線送信する。携帯電話１０では受信したポイント情報をＲＡＭ４３に格納する。
【００３６】
なお、ＰＯＳ端末装置２３における、Ｓ１５〜Ｓ１７の処理は、取得したＩＤに従って該当する携帯電話にリンク確立要求を送信してその携帯電話と無線通信を開始する通信開始手段を構成するものである。
【００３７】
そして、携帯電話１０はＰＯＳ端末装置２３とのＢｌｕｅｔｏｏｔｈ通信によるメッセージの送受信を終了すると、Ｓ９にて、コネクションの切断を行い、Ｓ１０にて、リンクの切断を行って一連の処理を終了する。また、ＰＯＳ端末装置２３は携帯電話１０とのＢｌｕｅｔｏｏｔｈ通信によるメッセージの送受信を終了すると、Ｓ１８にて、コネクションの切断を行い、Ｓ１９にて、リンクの切断を行って一連の処理を終了する。
【００３８】
このように、ＰＯＳ端末装置２３において精算処理を行った顧客は、所持している携帯電話１０を使用してＰＯＳ端末装置２３とＢｌｕｅｔｏｏｔｈ通信を行うが、その場合に、モード切替えを行って携帯電話１０のＢＴ送受信部４４に確保されているグローバルでユニークなＩＤを読み出し、そのＩＤを表示部１１のバックライトの点滅によって送信する。そして、ＰＯＳ端末装置２３においては、携帯電話１０の表示部１１におけるバックライトの点滅を受光部３５で受信し、２値化してＣＰＵ３１に伝送する。
【００３９】
これにより、ＰＯＳ端末装置２３は取得したＩＤを用いてＢｌｕｅｔｏｏｔｈの規格に定められているページングと呼ばれるリンク確立フェーズに移行してＢＴ送受信部３８から該当する携帯電話１０に取得したＩＤを含むページメッセージを送信する。そして、該当する携帯電話１０との間のチャネルの確立及びコネクションの確立を行う。
【００４０】
ＰＯＳ端末装置２３は、携帯電話１０の表示部１１のバックライトの点滅を受光部３５で受信するので、携帯電話の表示部の表示画面からバーコードを読み取ったり、画像を読み取ったりするものに比べて携帯電話から確実にＩＤを取得することができる。従って、ＰＯＳ端末装置２３の前に並んでいる多数の顧客が携帯電話を所持しても、ＰＯＳ端末装置２３は、現在精算している顧客が所持している携帯電話１０と確実にリンクを確立してＢｌｕｅｔｏｏｔｈ通信できるようになる。
【００４１】
また、ＩＤを表示部１１のバックライトの点滅によって送信する構成としたので、携帯電話１０として特別な構成が要求されることはない。従って、Ｂｌｕｅｔｏｏｔｈ通信機能があるどのような携帯電話ともＢｌｕｅｔｏｏｔｈ通信開始前のＩＤの送受信ができ、汎用性に優れている。
【００４２】
なお、この実施の形態においては、携帯電話１０からＩＤを表示部１１のバックライトの点滅によって送信する構成としたが必ずしもこれに限定するものではない。例えば、携帯電話１０には、着信時に点滅して知らせる等の状態表示用の可視光の発光ダイオード１５が配置されている。バックライトの点滅の変わりに、この発光ダイオード１５を点滅してＩＤを送信するようにしてもよい。また、バックライトの点滅に代わって表示部１１のコントラスト比を切替えてもよい。すなわち、コントラスト比の高い黒やグレーと白の表示をＩＤの「０」と「１」に対応付けて切替えるようにすればよい。
【００４３】
（第２の実施の形態）
この実施の形態におけるＰＯＳ端末装置の構成は基本的には図１及び図３と同様の構成になっている。また、携帯電話の構成は基本的には図２及び図４と同様の構成になっている。この実施の形態は、ＰＯＳ端末装置２３から携帯電話１０へグローバルでユニークなＩＤを送信する構成になっており、携帯電話１０のＢＴ送受信部４４がマスタとして通信相手のＰＯＳ端末装置２３を探索する点で前述した第１の実施の形態と異なるものである。
【００４４】
ＰＯＳ端末装置２３と顧客とのポイントの授受はＰＯＳ端末装置２３と顧客が所持している携帯電話１０との間で行うが、携帯電話１０は図７に示す流れ図に基づいた処理を行い、ＰＯＳ端末装置２３は図８に示す流れ図に基づいた処理を行う。
【００４５】
ＰＯＳ端末装置２３における精算処理が終了すると、顧客は、Ｓ２１にて、携帯電話１０のモードを切替え、撮像装置１６をＰＯＳ端末装置２３の客用表示部６に近づける。携帯電話１０は、Ｓ２にて、ＰＯＳ端末装置２３とポイントの授受を行うためのアプリケーション・ソフトウエアを起動する。
【００４６】
一方、オペレータは、Ｓ３１にて、ＰＯＳ端末装置２３のモードを切替える。これにより、ＣＰＵ３１は、Ｓ１２にて、携帯電話１０とポイントの授受を行うためのアプリケーション・ソフトウエアを起動する。
【００４７】
そして、ＰＯＳ端末装置２３のＣＰＵ３１は、Ｓ３３にて、ＢＴ送受信部３８に確保されている４８ビットのＩＤを読み出してＲＡＭ３３に格納する。続いて、Ｓ３４にて、ＲＡＭ３３からＩＤを読み出し、このＩＤに基づいて客用表示部６のバックライトをＯＮ／ＯＦＦ制御する。すなわち、「０」、「１」の２進数に変換されたＩＤに従って表示部６のバックライトをＯＮ／ＯＦＦ制御する。
【００４８】
ＰＯＳ端末装置２３の客用表示部６のバックライトが点滅すると、携帯電話１０の撮像装置１６は、Ｓ２３にて、客用表示部６の点滅を撮像する。そして、撮像した信号を、バスライン４６を介してＣＰＵ４１に伝送する。ＣＰＵ４１は撮像した信号から輝度変化を抽出しＩＤを取出す。このときの画像処理は専用のハードウエアを使用してもよい。
【００４９】
携帯電話１０は、ＰＯＳ端末装置２３からのＩＤの受信に成功すると、Ｓ２４にて、ＣＰＵ４１は、取得したＩＤをＢＴ送受信部４４に伝送し、この取得したＩＤを用いてＢｌｕｅｔｏｏｔｈの規格に定められているページングと呼ばれるリンク確立フェーズに移行し、ＢＴ送受信部４４から当該ＰＯＳ端末装置２３のＩＤを含むページメッセージがブロードキャスト送信される。
【００５０】
一方、ＰＯＳ端末装置２３のＣＰＵ３１は、リンク確立フェーズに移行する携帯電話１０からの信号を受信して、Ｓ２５にて、ＢＴ送受信部３８をＢｌｕｅｔｏｏｔｈに規定されているページメッセージの受付けモードに設定する。
これにより、該当するＩＤを持つ当該ＰＯＳ端末装置２３のみが携帯電話１０から送信されるページメッセージを受信することになる。
【００５１】
ＰＯＳ端末装置２３は携帯電話１０からページメッセージを受信することにより、携帯電話１０のマスタに対するスレーブの関系になる。ＰＯＳ端末装置２３のＢＴ送受信部３８は、携帯電話１０のＢＴ送受信部４４が決めたホッピングパターンで動作することになる。その後、Ｓ３５にて、携帯電話１０のＢＴ送受信部４４が送出するリンク確立要求を待ち受け、リンク確立要求を受信し、Ｓ３６にて、ＢＴ送受信部４４との間のリンクを確立する。また、携帯電話１０のＢＴ送受信部４４は、Ｓ２５にて、ＰＯＳ端末装置２３にリンク確立要求を送信し、ＢＴ送受信部３８との間のリンクを確立する。
【００５２】
その後、Ｂｌｕｅｔｏｏｔｈの規格で定められた手順に従い、ＰＯＳ端末装置２３のＢＴ送受信部３８は、Ｓ３７にて、チャネルの確立、コネクションの確立を行い、ＰＯＳ端末装置２３のＢＴ送受信部３８は、Ｓ２６にて、チャネルの確立、コネクションの確立を行う。こうして設定したコネクションを通じてＰＯＳ端末装置２３と携帯電話１０とはデータの送受信ができるようになる。
【００５３】
この状態において、携帯電話１０のＣＰＵ４１は、Ｓ２７にて、ＢＴ送受信部４４を使用してＰＯＳ端末装置２３とメッセージの送受信を行い、また、ＰＯＳ端末装置２３のＣＰＵ３１は、Ｓ３８にて、ＢＴ送受信部３８を使用して携帯電話１０とメッセージの送受信を行う。例えば、携帯電話１０のＣＰＵ４１はＲＡＭ４３に格納されているポイント情報を含む個人情報を読み出しＰＯＳ端末装置２３へ無線送信する。ＰＯＳ端末装置２３においては、例えば、受信したポイント情報と今回発生したポイント情報を加算し、その結果をもとに所望のサービスを行う。そして、ポイントが余れば、余ったポイント情報を携帯電話１０に送信する。携帯電話１０では受信したポイント情報をＲＡＭ４３に格納する。
【００５４】
なお、ＰＯＳ端末装置２３における、Ｓ３６〜Ｓ３８の処理は、ＩＤコードを取得した携帯電話からリンク確立の要求があると、その携帯電話と無線通信を開始する通信開始手段を構成するものである。
【００５５】
そして、携帯電話１０はＰＯＳ端末装置２３とのＢｌｕｅｔｏｏｔｈ通信によるメッセージの送受信を終了すると、Ｓ２８にて、コネクションの切断を行い、Ｓ２９にて、リンクの切断を行って一連の処理を終了する。また、ＰＯＳ端末装置２３は携帯電話１０とのＢｌｕｅｔｏｏｔｈ通信によるメッセージの送受信を終了すると、Ｓ３９にて、コネクションの切断を行い、Ｓ４０にて、リンクの切断を行って一連の処理を終了する。
【００５６】
このように、ＰＯＳ端末装置２３において精算処理を行った顧客は、所持している携帯電話１０を使用してＰＯＳ端末装置２３とＢｌｕｅｔｏｏｔｈ通信を行うが、その場合に、ＰＯＳ端末装置２３はＢＴ送受信部３８に確保されているグローバルでユニークなＩＤを読み出し、そのＩＤを客用表示部６のバックライトの点滅によって送信する。一方、携帯電話１０においては、ＰＯＳ端末装置２３の客用表示部６におけるバックライトの点滅を撮像装置１６で撮像し輝度変化を抽出してＩＤを取得する。
【００５７】
これにより、携帯電話１０は取得したＩＤを用いてＢｌｕｅｔｏｏｔｈの規格に定められているページングと呼ばれるリンク確立フェーズに移行してＢＴ送受信部４４から該当するＰＯＳ端末装置２３に取得したＩＤを含むページメッセージを送信する。そして、該当するＰＯＳ端末装置２３との間のチャネルの確立及びコネクションの確立を行う。
【００５８】
携帯電話１０は、ＰＯＳ端末装置２３の客用表示部６のバックライトの点滅を撮像装置１６で撮像するので、ＰＯＳ端末装置から確実にＩＤを取得することができる。従って、ＰＯＳ端末装置２３の前に並んでいる多数の顧客が携帯電話を所持しても、ＰＯＳ端末装置２３は、現在精算している顧客が所持している携帯電話１０と確実にリンクを確立してＢｌｕｅｔｏｏｔｈ通信できるようになる。
【００５９】
また、ＩＤを客用表示部６のバックライトの点滅によって送信する構成としたので、ＰＯＳ端末装置２３として特別な構成が要求されることはない。また、携帯電話１０としては通常カメラとして使用される撮像装置１６を使用して客用表示部６の点滅を撮像しＩＤを取得することができる。従って、撮像装置１６とＢｌｕｅｔｏｏｔｈ通信機能が付いている携帯電話であればどのような携帯電話ともＢｌｕｅｔｏｏｔｈ通信開始前のＩＤの送受信ができ、汎用性に優れている。
【００６０】
なお、この実施の形態においては、ＰＯＳ端末装置２３からＩＤを客用表示部６のバックライトの点滅によって送信する構成としたが必ずしもこれに限定するものではない。例えば、ＰＯＳ端末装置２３のバーコードスキャナ８には発光ダイオード９がバーコード読み取り確認等の状態表示用のために設けられている。バックライトの点滅の代りに、この発光ダイオード９を点滅してＩＤを送信するようにしてもよい。また、バックライトの点滅に代わって客用表示部６のコントラスト比を切替えてもよい。すなわち、コントラスト比の高い黒やグレーと白の表示をＩＤの「０」と「１」に対応付けて切替えるようにすればよい。
【００６１】
（第３の実施の形態）
この実施の形態は、図９に示すように、受光部３５を無くし、代りに、Ａ／Ｄ及びＤ／Ａ変換部５１をバスライン４０に接続し、このＡ／Ｄ及びＤ／Ａ変換部５１のＡ／Ｄ部にマイク５２を接続し、Ｄ／Ａ部にスピーカ５３を接続した複数のＰＯＳ端末装置２３１をＬＡＮ２１に接続している。なお、その他の構成は前述した実施の形態と同一である。
【００６２】
この実施の形態においてはＰＯＳ端末装置２３１のマイク５２とスピーカ５３及び携帯電話１０のスピーカ１３とマイク１４は一種の音響カプラとして機能するようになっている。
【００６３】
ＰＯＳ端末装置２３１と顧客とのポイントの授受はＰＯＳ端末装置２３１と顧客が所持している携帯電話１０との間で行うが、携帯電話１０は図１０に示す流れ図に基づいた処理を行い、ＰＯＳ端末装置２３１は図１１に示す流れ図に基づいた処理を行う。
【００６４】
ＰＯＳ端末装置２３１における精算処理が終了すると、顧客は、Ｓ４１にて、携帯電話１０のモードを切替え、携帯電話１０をＰＯＳ端末装置２３１の所定の位置に、そのスピーカ１３がマイク５２に、そのマイク１４がスピーカ５３に接近するようにして載置する。モード切替えが行われると、携帯電話１０は、Ｓ４２にて、ＰＯＳ端末装置２３１とポイントの授受を行うためのアプリケーション・ソフトウエアを起動する。
【００６５】
一方、オペレータは、Ｓ５１にて、ＰＯＳ端末装置２３１のモードを切替える。モード切替えが行われると、ＰＯＳ端末装置２３のＣＰＵ３１は、Ｓ５２にて、携帯電話１０とポイントの授受を行うためのアプリケーション・ソフトウエアを起動する。
【００６６】
携帯電話１０では、Ｓ４３にて、ＣＰＵ４１がＢＴ送受信部４４に確保されている４８ビットのＩＤを読み出してＲＡＭ４３に格納する。続いて、Ｓ４４にて、ＣＰＵ４１はＲＡＭ４３からＩＤを読み出し、このＩＤを変復調部４５に供給する。変復調部４５はＩＤに従って音声領域の変調信号を発生しスピーカ１３から音として出力する。
【００６７】
ＰＯＳ端末装置２３１は、Ｓ５３にて、スピーカ１３からの音をマイク５２で受信し、この受信した変調信号をＡ／Ｄ及びＤ／Ａ変換部５１のＡ／Ｄ部に供給してサンプリングしＣＰＵ３１に伝送する。ＣＰＵ３１は処理を行ってＩＤを抽出する。
【００６８】
ＰＯＳ端末装置２３１のＣＰＵ３１は、マイク５２を介して携帯電話１０からのＩＤの受信に成功すると、続いてＳ５４にて、取得したＩＤをＢＴ送受信部３８に伝送し、この取得したＩＤを用いてＢｌｕｅｔｏｏｔｈの規格に定められているページングと呼ばれるリンク確立フェーズに移行し、ＢＴ送受信部３８から当該携帯電話１０のＩＤを含むページメッセージがブロードキャスト送信される。
【００６９】
一方、携帯電話１０のＣＰＵ４１は、リンク確立フェーズに移行するＰＯＳ端末装置２３１からの信号を受信して、Ｓ４５にて、ＢＴ送受信部４４をＢｌｕｅｔｏｏｔｈに規定されているページメッセージの受付けモードに設定する。
これにより、該当するＩＤを持つ当該携帯電話１０のみがＰＯＳ端末装置２３１から送信されるページメッセージを受信することになる。
【００７０】
携帯電話１０はＰＯＳ端末装置２３１からページメッセージを受信することにより、ＰＯＳ端末装置２３１のマスタに対するスレーブの関系になる。携帯電話１０のＢＴ送受信部４４は、ＰＯＳ端末装置２３１のＢＴ送受信部３８が決めたホッピングパターンで動作することになる。その後、Ｓ４６にて、ＰＯＳ端末装置２３１のＢＴ送受信部３８が送出するリンク確立要求を待ち受け、リンク確立要求を受信しＢＴ送受信部３８との間のリンクを確立する。また、ＰＯＳ端末装置２３１のＢＴ送受信部３８は、Ｓ５５にて、携帯電話１０にリンク確立要求を送信し、ＢＴ送受信部４４との間のリンクを確立する。
【００７１】
その後、Ｂｌｕｅｔｏｏｔｈの規格で定められた手順に従い、携帯電話１０のＢＴ送受信部４４は、Ｓ４７にて、チャネルの確立、コネクションの確立を行い、ＰＯＳ端末装置２３１のＢＴ送受信部３８は、Ｓ５６にて、チャネルの確立、コネクションの確立を行う。こうして設定したコネクションを通じてＰＯＳ端末装置２３１と携帯電話１０とはデータの送受信ができるようになる。
【００７２】
この状態において、携帯電話１０のＣＰＵ４１は、Ｓ４８にて、ＢＴ送受信部４４を使用してＰＯＳ端末装置２３１とメッセージの送受信を行い、また、ＰＯＳ端末装置２３１のＣＰＵ３１は、Ｓ５７にて、ＢＴ送受信部３８を使用して携帯電話１０とメッセージの送受信を行う。
【００７３】
なお、ＰＯＳ端末装置２３１における、Ｓ５５〜Ｓ５７の処理は、取得したＩＤに従って該当する携帯電話にリンク確立要求を送信してその携帯電話と無線通信を開始する通信開始手段を構成するものである。
【００７４】
そして、携帯電話１０はＰＯＳ端末装置２３１とのＢｌｕｅｔｏｏｔｈ通信によるメッセージの送受信を終了すると、Ｓ４９にて、コネクションの切断を行い、Ｓ５０にて、リンクの切断を行って一連の処理を終了する。また、ＰＯＳ端末装置２３１は携帯電話１０とのＢｌｕｅｔｏｏｔｈ通信によるメッセージの送受信を終了すると、Ｓ５８にて、コネクションの切断を行い、Ｓ５９にて、リンクの切断を行って一連の処理を終了する。
【００７５】
このように、ＰＯＳ端末装置２３１において精算処理を行った顧客は、所持している携帯電話１０を使用してＰＯＳ端末装置２３１とＢｌｕｅｔｏｏｔｈ通信を行うが、その場合に、モード切替えを行って携帯電話１０のＢＴ送受信部４４に確保されているグローバルでユニークなＩＤを読み出し、そのＩＤをスピーカ１３からＰＯＳ端末装置２３１のマイク５２に変調した音響信号として送信する。そして、ＰＯＳ端末装置２３１においては、マイク５２で受信した音響信号をサンプリングしてＩＤを抽出する。
【００７６】
これにより、ＰＯＳ端末装置２３１は取得したＩＤを用いてＢｌｕｅｔｏｏｔｈの規格に定められているページングと呼ばれるリンク確立フェーズに移行してＢＴ送受信部３８から該当する携帯電話１０に取得したＩＤを含むページメッセージを送信する。そして、該当する携帯電話１０との間のチャネルの確立及びコネクションの確立を行う。
【００７７】
ＰＯＳ端末装置２３１は携帯電話１０のスピーカ１３からの音響信号をマイク５２で受信するので、携帯電話１０の表示部の表示画面からバーコードを読み取ったり、画像を読み取ったりするものに比べて携帯電話から確実にＩＤを取得することができる。従って、ＰＯＳ端末装置は、現在精算している顧客が所持している携帯電話１０と確実にリンクを確立してＢｌｕｅｔｏｏｔｈ通信できるようになる。
【００７８】
また、ＩＤを携帯電話の送話器であるスピーカ１３から音響信号として出力し、これをＰＯＳ端末装置２３１においてマイク５２で受信している。従って、携帯電話１０として特別な構成が要求されることはなく、従って、Ｂｌｕｅｔｏｏｔｈ通信機能があるどのような携帯電話ともＢｌｕｅｔｏｏｔｈ通信開始前のＩＤの送受信ができ、汎用性に優れている。
【００７９】
なお、この実施の形態では携帯電話１０のスピーカ１３からＰＯＳ端末装置２３１のマイク１４に対してＢＴ送受信部４４に確保されているＩＤに基づいて変調した音響信号を送信し、ＰＯＳ端末装置２３１が該当する携帯電話を検索するマスタとして動作させる場合について述べたが必ずしもこれに限定するものではなく、逆にＰＯＳ端末装置２３１のスピーカ５３から携帯電話１０のマイク１４に対してＢＴ送受信部３８に確保されているＩＤに基づいて変調した音響信号を送信し、携帯電話１０が該当するＰＯＳ端末装置を検索するマスタとして動作させてもよい。
【００８０】
なお、前述した各実施の形態は、携帯通信端末として、携帯電話を使用したものについて述べたが必ずしもこれに限定するものではなく、ＰＤＡなど他の携帯通信端末であってもよい。
【００８１】
【発明の効果】
以上詳述したように本発明によれば、該当する携帯通信端末との間で確実にリンク確立して無線通信を開始でき、しかも、汎用性に優れたＰＯＳ端末装置を提供できる。
【図面の簡単な説明】
【図１】本発明の第１の実施の形態におけるＰＯＳ端末装置の外観を示す斜視図。
【図２】同実施の形態における携帯電話の外観を示す図。
【図３】同実施の形態におけるＰＯＳ端末装置を使用したＰＯＳシステムの構成を示すブロック図。
【図４】同実施の形態における携帯電話の構成を示すブロック図。
【図５】同実施の形態における携帯電話によるＩＤ及びポイント情報の送受信処理を示す流れ図。
【図６】同実施の形態におけるＰＯＳ端末装置によるＩＤ及びポイント情報の送受信処理を示す流れ図。
【図７】本発明の第２の実施の形態における携帯電話によるＩＤ及びポイント情報の送受信処理を示す流れ図。
【図８】同実施の形態におけるＰＯＳ端末装置によるＩＤ及びポイント情報の送受信処理を示す流れ図。
【図９】本発明の第３の実施の形態におけるＰＯＳ端末装置を使用したＰＯＳシステムの構成を示すブロック図。
【図１０】同実施の形態における携帯電話によるＩＤ及びポイント情報の送受信処理を示す流れ図。
【図１１】同実施の形態におけるＰＯＳ端末装置によるＩＤ及びポイント情報の送受信処理を示す流れ図。
【符号の説明】
１０…携帯電話
１１…表示部
２３…ＰＯＳ端末装置
３１，４１…ＣＰＵ
３５…受光部
３８，４４…ＢＴ送受信部
【図１】
2004185492.tif 000003
【図２】
2004185492.tif 000004
【図３】
2004185492.tif 000005
【図４】
2004185492.tif 000006
【図５】
2004185492.tif 000007
【図６】
2004185492.tif 000008
【図７】
2004185492.tif 000009
【図８】
2004185492.tif 000010
【図９】
2004185492.tif 000011
【図１０】
2004185492.tif 000012
【図１１】
2004185492.tif 000013